(57)【要約】【課題】圧縮機の圧縮効率を減少させないため、圧縮機の回転数が必要以上に高回転とならないように制御して、省エネルギー上有利な冷蔵庫を提供する。【解決手段】圧縮機の回転数上昇を抑制するために、冷蔵室冷却用ダンパの設定値を一時的に変化させることにより、冷蔵室冷却用ダンパを一時的に閉させて、冷凍室の温度上昇を抑制することにより、圧縮機の圧縮効率の比較的良い低回転数での運転時間をより長くできるので、省エネルギー上有利な冷蔵庫を提供できる。【選択図】図３
2009014320.tif 000002
【特許請求の範囲】
【請求項１】
冷蔵室及び冷凍室と、上記冷蔵室及び冷凍室を冷却するための冷却器と、上記冷却器に圧縮した冷気を出力する圧縮機と、上記冷却器の冷気を循環する通路と、上記通路の一部に設けられた上記冷気を上記冷蔵室へ上記冷気を供給する場合に開閉制御するダンパと、上記冷蔵室および冷凍室並びに上記冷凍器の温度を検知する温度センサと、上記温度センサの検知によって異常温度が所定時間継続した場合には、圧縮機の回転数を上昇させ、且つ、上記ダンパを開けて冷気を取り込み上記冷蔵室を冷却する制御部を備えた冷蔵庫において、上記制御部は、上記ダンパの開閉条件を変化させることにより、上記ダンパを一時的に閉じて、上記冷凍室の温度上昇を抑制しつつ、上記圧縮機の回転数上昇を抑制することを特徴とする冷蔵庫。
【請求項２】
請求庫１記載の冷蔵庫において、上記制御部は、上記ダンパの開閉条件として、上記ダンパを複数回一時的に閉させることにより、冷凍室の温度上昇を抑制して、圧縮機の回転数を所定の回転数に保持するようにしたことを特徴とする冷蔵庫。
【請求項３】
請求庫１記載の冷蔵庫において、上記制御部は、上記ダンパの開閉条件として、上記ダンパを一時的に閉させる最初の設定値を設けたことを特徴とする冷蔵庫。
【請求項４】
請求庫１記載の冷蔵庫において、上記制御部は、上記ダンパの開閉条件として、上記冷蔵室への異常な負荷投入を、予め設定した時間内における冷蔵室温度の上昇温度にて検知するようにしたことを特徴とする冷蔵庫。
【発明の詳細な説明】
【技術分野】
【０００１】
本発明は、冷凍冷蔵庫に関するものである。
【背景技術】
【０００２】
近年、冷凍冷蔵庫の貯蔵室を効率良く冷却するために、圧縮機の回転数を可変にするものや、冷蔵室へ供給する冷気通路をダンパ装置によって開閉制御するもの等が知られている。一般的に、冷凍冷蔵庫の冷却能力は、圧縮機の回転数を可変制御することによって変化させることができる。
以下、本書では、冷凍冷蔵庫を冷蔵庫と称する。
【０００３】
従来の冷蔵庫の冷却について図６を参照しながら説明する。図６は、従来の冷凍室の庫内温度に対応して可変制御する圧縮機の回転数の一例を示す図である。
図６の横軸は、冷凍室の庫内温度の検出値（摂氏温度：単位［℃］）を示し、縦軸は圧縮機の回転速度（１分間の回転数（単位：［ｍｉｎ−１］））を表示している。また、部分直線Ｂ１，Ｂ２，Ｂ３，‥‥‥，Ｂ６は、冷凍室の庫内温度の検出値に対応して可変する圧縮機の回転数である。
冷蔵庫の冷却能力は、圧縮機の回転数を可変制御して実行することは既に述べた。しかし、冷却運転によって除去するべき熱量、即ち冷却負荷は、直接測定することはかなり困難である。従って、簡易的には、冷蔵庫内の各室内の温度を検出し、検出した温度に基づいて冷却するのが一般的である。
【０００４】
図６において、冷凍室内の温度の検出は、例えば、温度感知センサ等の検出手段にて検出する。
冷凍室の目標冷却温度がｔ０（例えば、図６では、−１８℃）に設定されていた場合に、冷凍室の庫内温度の検出値がｔ１１（例えば、−１７℃）以上でかつｔ１２（例えば、−１５．６℃）未満であれば、圧縮機の回転速度を部分直線Ｂ２が示す回転速度ｒ１１（例えば、２０００［ｍｉｎ−１］）で運転する。また、冷凍室の庫内温度の検出値がｔ１２（例えば、−１５．６℃）以上でかつｔ１３（例えば、−１４．２℃）未満であれば、圧縮機の回転速度を部分直線Ｂ３が示す回転速度ｒ１２（例えば、２５００［ｍｉｎ−１］）で運転する。また、冷凍室の庫内温度の検出値がｔ１３（例えば、−１４．２℃）以上でかつｔ１４（例えば、−１１．４℃）未満であれば、圧縮機の回転速度を部分直線Ｂ４が示す回転速度ｒ１３（例えば、３０００［ｍｉｎ−１］）で運転する。また、冷凍室の庫内温度の検出値がｔ１５（例えば、−１１．４℃）以上であれば、圧縮機の回転速度を部分直線Ｂ６が示す回転速度ｒ１５（例えば、４２００［ｍｉｎ−１］）で運転するようにしていた。
【０００５】
即ち、冷凍室の温度によって圧縮機の運転回転数を可変するようにしていた。
また、例えば、特許文献１に示されるように、冷却器の温度を一定温度に維持するように圧縮機の回転速度を制御するものや、例えば、特許文献２に示されるように、高負荷温度以上のときに圧縮機の回転周波数を許容最大周波数で運転させるもの等が知られている。
また、冷蔵室へ供給する冷気通路をダンパ装置によって開閉制御するものは、例えば、特許文献３に示されるように、冷蔵室冷却モードにおいて、ダンパ装置を時分割制御による開閉作動状態とすることにより、冷凍室の冷却促進をおこなうもの等が知られている。
【０００６】
【特許文献１】特開平１０−１９４４１号公報
【特許文献２】特開２００５−９８５４９号公報
【特許文献３】特開２００６−１７３７１号公報
【発明の開示】
【発明が解決しようとする課題】
【０００７】
冷蔵庫への異常な負荷投入が有った場合や、高負荷温度を検知した場合は、図６や特許文献１、２が示すように、圧縮機の回転数を上昇して運転するようにしていた。しかし、通常の冷蔵庫用冷凍サイクルにおいては、圧縮機の回転数が上昇すると、圧縮機の圧縮効率が減少する。このため、圧縮機入力に対する出力（冷凍能力）の程度（成績係数）が低下して、省エネルギー上不利となってしまうという問題があった。
また、一個の冷却器で生成した冷気により、冷蔵室と冷凍室とを冷却する方式の場合は、冷蔵室への異常な負荷投入により、その庫内温度が上昇すると、冷蔵室の異常温度に影響されて冷凍室温度が上昇するために、冷凍室温度の上昇によって、圧縮機の運転回転数が上昇するという問題があった。
前述した特許文献１、２には、その具体的対処方法については考慮されていない。本発明の目的は、このような従来の構成が有していた問題を解決し、圧縮機の回転数が必要以上に高速回転とならないようにして、省エネルギー上有利な冷蔵庫を提供することにある。
【課題を解決するための手段】
【０００８】
上記目的を達成するために、本発明は、圧縮機の回転数上昇を抑制するために、冷蔵室冷却用ダンパの設定値を一時的に変化させることにより、冷蔵室冷却用ダンパを一時的に閉させて、冷凍室の温度上昇を抑制した。
また、冷蔵室冷却用ダンパを複数回一時的に閉させることにより、冷凍室の温度上昇を抑制して、圧縮機の回転数を所定の回転数に保持した。
また、冷蔵室冷却用ダンパを一時的に閉させる設定値を設けた。
また、冷蔵室への異常な負荷投入を、予め設定した時間内における冷蔵室温度の上昇温度にて検知するようにした。
【０００９】
即ち、本発明の冷蔵庫は、冷蔵室及び冷凍室と、冷蔵室及び冷凍室を冷却するための冷却器と、冷却器に圧縮した冷気を出力する圧縮機と、冷却器の冷気を循環する通路と、通路の一部に設けられた冷気を冷蔵室へ冷気を供給する場合に開閉制御するダンパと、冷蔵室および冷凍室並びに冷凍器の温度を検知する温度センサと、温度センサの検知によって異常温度が所定時間継続した場合には、圧縮機の回転数を上昇させ、且つ、ダンパを開けて冷気を取り込み冷蔵室を冷却する制御部を備えた冷蔵庫において、制御部は、ダンパの開閉条件を変化させることにより、ダンパを一時的に閉じて、冷凍室の温度上昇を抑制しつつ、圧縮機の回転数上昇を抑制することを特徴とする。
【００１０】
また好ましくは、本発明の冷蔵庫の制御部は、ダンパの開閉条件として、ダンパを複数回一時的に閉させることにより、冷凍室の温度上昇を抑制して、圧縮機の回転数を所定の回転数に保持するようにしたことを特徴とする。
また好ましくは、本発明の冷蔵庫の制御部は、ダンパの開閉条件として、ダンパを一時的に閉させる最初の設定値を設けたことを特徴とする。
また好ましくは、本発明の冷蔵庫の制御部は、ダンパの開閉条件として、冷蔵室への異常な負荷投入を、予め設定した時間内における冷蔵室温度の上昇温度にて検知するようにしたことを特徴とする。
【発明の効果】
【００１１】
本発明によれば、圧縮機の回転数上昇を抑制するために、冷蔵室冷却用ダンパの設定値を一時的に変化させることにより、冷蔵室冷却用ダンパを一時的に閉させて、冷凍室の温度上昇を抑制したので、圧縮機の圧縮効率の比較的良い低回転数での運転時間をより長くできるので、省エネルギー上有利な冷蔵庫を提供できる。また、冷凍室の庫内温度上昇を抑制できるので、冷凍貯蔵食品の鮮度保持が図れる冷蔵庫を提供できる。
【発明を実施するための最良の形態】
【００１２】
以下、本発明の実施例について、図面を参照しながら説明する。
図１は、本発明の一実施例における冷蔵庫本体の扉を除いて正面から見た説明図である。図２は、図１におけるＡ−Ａ線の要部断面図である。
図１及び図２において、４０は冷蔵庫本体であり、この冷蔵庫本体４０内には複数の区画された室が設けてあり、例えば、上から順に、冷蔵室４４、製氷室４１、冷凍室４２、及び、野菜室４５を設ける構成にしてある。
冷凍室４２と製氷室４１は、例えば、−１２℃〜−２０℃程度の冷凍温度に保持できるように区画構成してある。また、冷蔵室４４と野菜室４５は、例えば、０℃〜１０℃程度の冷蔵温度に保持できるように区画構成してある。
そして、各室の開口前面には、該開口を開閉可能に閉塞する扉４１ａ、４２ａ、４４ａ、４５ａを設けてある。
なお、これらの各室が、顧客の必要に対応して、左右のレール付の前後方向への引き出し手段を持っていても良い。
【００１３】
図１及び図２の冷蔵庫は、制御装置５７によって運転制御される。
例えば、制御装置５７は、冷却器４９を設けた冷却室５０にて生成した冷気を、送風機５１によって送風循環する。そして、圧縮機４７の運転回転数を後述するように制御する。このように、制御装置５７の制御によって、冷蔵室４４、製氷室４１、冷凍室４２、及び、野菜室４５を一個の冷却器４９及び一個の送風機５１が冷却するものである。
また、除霜手段４８は、制御装置５７の制御に応じて、冷却器４９に付着した霜を除去する。
【００１４】
そして、温度感知センサ６１は冷凍室４２内の温度を検出できるように構成され、温度感知センサ６１の検出値によって、制御装置５７は、後述するように、圧縮機４７や送風機５１の運転を制御する。
また、温度感知センサ６２は冷蔵室４４内の温度を検出できるように構成され、温度感知センサ６３は野菜室４５内の温度を検出できるように構成され、温度感知センサ６２若しくは温度感知センサ６３の検出値によって、制御装置５７は、後述するように、冷蔵室冷却用ダンパ５４の開閉を制御する。
また、温度感知センサ６４は冷却器４９の温度を検出できるように構成され、温度感知センサ６４の検出値により、除霜手段４８への通電時間を可変制御できるように構成してある。
【００１５】
ここで、上記構成における冷却動作について、図１及び図２、並びに図３及び図４により説明する。図３は、本発明の冷蔵庫の圧縮機の回転数、冷蔵室又は野菜室の庫内温度、冷凍室又は製氷室の庫内温度、及び冷蔵室冷却用ダンパの動作関係の一実施例を説明するための図である。また、図４は、本発明に係る制御装置５７の一実施例の構成を説明するためのブロック図である。以下の制御は、特に説明しないが、制御装置５７によって制御される。
【００１６】
先ず、図１若しくは図２に示すように、冷却器４９により生成された冷気は、送風機５１の運転により、冷却室５０から冷凍用冷気ダクト５２内に送風される。そして、冷凍用冷気ダクト５２内に送風された冷気の一部は、複数の吐出口４３ｄより製氷室４１、冷凍室４２内に吐出され、これらの室内を所定の温度に冷却したのち、戻り口４３ｅより冷却室５０に戻る。
そして、冷凍用冷気ダクト５２内に送風された冷気の一部は、冷蔵用冷気ダクト５３に分流されて、且つ、冷気通過量を制御できるように構成された冷蔵室冷却用ダンパ５４に制御されて、冷蔵用冷気通路４４ｃに送風される。
冷蔵用冷気通路４４ｃ内に送風された冷気の一部は、複数の吐出口４４ｄより冷蔵室４４内に吐出され、冷蔵室４４内を所定の温度に冷却したのち、製氷室４１と冷蔵室４４とを区画する仕切部材５５に設けられた吸込口４４ｅ、冷凍室４２背部に設けられた冷気通路４４ｆ、戻り口４４ｇを経て冷却室５０に戻る。
冷蔵用冷気通路４４ｃ内に送風された冷気の一部は、野菜用冷気通路４５ｃに分流され、冷凍室４２背部に設けられた冷気通路４５ｄを経て吐出口４５ｅより野菜室４５内に吐出され、野菜室４５内を所定の温度に冷却したのち、冷凍室４２と野菜室４５とを区画する仕切部材５６に設けられた吸込口４５ｆ、戻り口４５ｇを経て冷却室５０に戻る。
【００１７】
そして、上述の冷却動作の制御は、図４に示す実施例のように、温度感知センサ６１、６２、６３、又は６４が検出した値（温度）によって、且つ、制御装置５７内に予め記録された処理プログラムに基づいて、圧縮機４７を所定の運転回転数で運転すると共に、送風機５１の運転や冷蔵室冷却用ダンパ５４の開閉を制御するように構成されている。
【００１８】
冷却動作の制御の一例を図３（ａ）により説明する。図３（ａ）は、通常の運転における圧縮機の回転数と庫内温度及び冷蔵室冷却用ダンパの動作関係説明図である。なお、図３において、圧縮機４７の回転数がｃｘ３〜ｃｘ４の状態では効率の良い運転が可能で、回転数がｃｘ４の状態では圧縮機の効率が低下する。
図３（ａ）において、横軸に示した経過時間の任意時刻（ｔ１１）での、冷凍室温度用の温度感知センサ６１の検知した値（冷凍室庫内温度）ｆ１１が、温度ｆｘ３と温度ｆｘ４との間（ｆｘ３≦ｆ１１＜ｆｘ４）であるとすると、検知した値ｆ１１により、制御装置５７が制御装置５７内に予め記録された処理プログラムに基づいて判断及び指令することにより、圧縮機４７を回転数ｃｘ３（例えば、３０００［ｍｉｎ−１］）で運転するように指令する。なお図３（ａ）の場合では、時刻ｔ１１の前の圧縮機４７の運転回転数は同じｃｘ３なので、実際には回転数に変更はない。
【００１９】
一方、この時刻ｔ１１での、冷蔵室用の温度感知センサ６２の検知した値（冷蔵室庫内温度）ｒ１１が温度ｒｘ３と温度ｒｘ４との間（ｒｘ３≦ｒ１１＜ｒｘ４）である。検知した値ｒ１１により、制御装置５７が制御装置５７内に予め記録された処理プログラムに基づいて判断及び指令することにより、冷蔵室冷却用ダンパ５４を閉状態のままとして運転する。なお図３（ａ）の場合では、時刻ｔ１１の前の冷蔵室冷却用ダンパ５４の状態は、閉であるから、実際には、ダンパ５４の状態に変更はない。
そして、時間経過と共に冷凍室の庫内温度が線Ｆ１のように次第に上昇して、例えば横軸に示した時刻ｔ１２での、冷凍室温度用の温度感知センサ６１の検知した値が温度ｆｘ４まで上昇すると、制御装置５７内に予め記録された処理プログラムに基づいて判断及び指令することにより、圧縮機４７を回転数ｃｘ３（例えば、３０００［ｍｉｎ−１］）から回転数ｃｘ４（例えば、３５００［ｍｉｎ−１］）に上昇して運転する。
【００２０】
一方、時刻ｔ１２での、冷蔵室用の温度感知センサ６２の検知した値が線Ｒ１のように温度ｒｘ４まで上昇すると、制御装置５７内に予め記録された処理プログラムに基づいて判断及び指令することにより、冷蔵室冷却用ダンパ５４は閉状態から開状態に変更して運転する。
冷蔵室冷却用ダンパ５４を開状態とすることにより、前述したように、冷蔵室４４や野菜室４５が線Ｒ２のように冷却されて庫内温度が下がる。そして例えば、時刻ｔ１３での、冷蔵室用の温度感知センサ６２の検知値が温度ｒｘ３まで下降すると、制御装置５７内に予め記録された処理プログラムに基づいて判断及び指令することにより、冷蔵室冷却用ダンパ５４を開状態から閉状態に変えて運転する。
【００２１】
上記のように、圧縮機４７の運転回転数をｃｘ３（例えば、３０００［ｍｉｎ−１］）からｃｘ４（例えば、３５００［ｍｉｎ−１］）に上昇させたこと、及び、冷蔵室冷却用ダンパ５４が閉状態になったことにより、冷凍室４２や製氷室４１が線Ｆ２のように冷却されて庫内温度が下がり、例えば、時刻ｔ１４での、冷凍室温度用の温度感知センサ６１の検知した値が温度ｆｘ３まで下降すると、制御装置５７内に予め記録された処理プログラムに基づいて判断及び指令することにより、圧縮機４７は回転数ｃｘ４（例えば、３５００［ｍｉｎ−１］）から回転数ｃｘ３（例えば、３０００［ｍｉｎ−１］）まで降下して運転する。
【００２２】
以下、冷凍室温度用の温度感知センサ６１の検知値に基づいて圧縮機４７の運転回転数を決定して運転制御すると共に、冷蔵室用の温度感知センサ６２の検知した値と、予め制御装置５７内に予め記録された処理プログラムに基づいて判断及び指令することにより冷蔵室冷却用ダンパ５４の開閉制御を行うように構成している。
即ち、通常は、冷蔵室温度用の温度感知センサ６２の検知した値が温度ｒｘ３以下では、冷蔵室冷却用ダンパ５４を閉の状態とし、温度ｒｘ４以上では冷蔵室冷却用ダンパ５４を開の状態となるように設定値を決めている。
【００２３】
次に、冷却動作の制御の一例を図３（ｂ）により説明する。図３（ｂ）は、冷蔵室への異常な冷却負荷の投入により、温度が異常に上昇した場合における圧縮機の回転数と庫内温度及び冷蔵室冷却用ダンパの動作関係説明図である。
なお、説明を簡明にするために、縦軸に表示する庫内温度や回転数は前述した図３（ａ）と同一としている。また、図３（ｂ）中の点線で表示した線（実線と点線が区別できるように、ダンパの開閉状態の開状態については、点線を少し上に記載しているが実線の開状態の表示と状態は同じである）は、従来例での一形態を示すものであり、実線にて示した線が本発明における発明者らの実験やシミュレーション等により得られたものである。
【００２４】
図３（ｂ）において、横軸に示した経過時間の任意時刻（ｔ２１）での、冷凍室温度用の温度感知センサ６１の検知した値（冷凍室庫内温度）ｆ２１が温度ｆｘ３と温度ｆｘ４との間（ｆｘ３≦ｆ２１＜ｆｘ４）であるとすると、制御装置５７が制御装置５７内に予め記録された処理プログラムに基づいて判断及び指令することにより、圧縮機４７を回転数ｃｘ３（例えば、３０００［ｍｉｎ−１］で運転するように指令する。なお図３（ｂ）の場合では、時刻ｔ２１の前の圧縮機４７の運転回転数は同じｃｘ３なので、実際には回転数に変更はない。
【００２５】
同時に、任意時刻ｔ２１での、冷蔵室用の温度感知センサ６２の検知した値（冷蔵室庫内温度）ｒ２１が温度ｒｘ３と温度ｒｘ４との間（ｒｘ３≦ｒ２１＜ｒｘ４）であるとすると、制御装置５７が制御装置５７内に予め記録された処理プログラムされた設定値に基づいて判断及び指令することにより、冷蔵室冷却用ダンパ５４を閉状態にして運転する。なお図３（ｂ）の場合では、時刻ｔ２１の前の冷蔵室冷却用ダンパ５４の状態は、閉であるから、実際には、ダンパ５４の状態に変更はない。
【００２６】
この時刻ｔ２１に冷蔵室４４に、大量の食品や高熱の食品を搬入する（外部から大きい熱負荷（冷却負荷）が侵入する）か、或いは、冷蔵室の扉開閉を頻繁に行うか、等により、異常な負荷投入や異常な熱負荷等の冷却負荷が加わったとすると、冷蔵室の庫内温度が線Ｒ３のように急激に上昇する。
例えば、時刻ｔ２２での、冷蔵室用の温度感知センサ６２の検知した値ｒ２２が点Ｒ４のように温度ｒｘ４まで上昇すると、制御装置５７が予め記録された処理プログラムに基づいて判断及び指令することにより、冷蔵室冷却用ダンパ５４を閉状態から開状態にして運転する。
【００２７】
冷蔵室の庫内温度の上昇に影響されて、冷凍室温度が上昇して冷凍室温度用の温度感知センサ６１の検知した値が温度ｆｘ４まで上昇すると（時刻ｔ２３時点）、制御装置５７が予めプログラムされた処理方式に基づいて判断及び指令することにより、圧縮機４７を回転数ｃｘ３（例えば、３０００［ｍｉｎ−１］）から回転数ｃｘ４（例えば、３５００［ｍｉｎ−１］）に上昇して運転する。
圧縮機４７が上記回転数ｃｘ３（例えば、３０００［ｍｉｎ−１］）より冷却力の大きい回転数ｃｘ４（例えば、３５００［ｍｉｎ−１］）で運転するので、異常な負荷投入等による冷蔵室温度上昇が時刻ｔ２４で止まると、冷蔵室の異常な温度は線Ｒ６のように次第に下降する。
【００２８】
しかし、冷凍室の温度は、冷蔵室の異常な温度に影響されて、線Ｆ６のように上昇が続く。このように次第に上昇して、上昇が続く状態で運転をすると、点線で示した従来例の線Ｆ７のように上昇して、冷凍室温度用の温度感知センサ６１の検知した値が時刻ｔ２６で温度ｆｘ５になると、制御装置５７が予め記録された処理プログラムに基づいて判断及び指令することにより、圧縮機４７を回転数ｃｘ４（例えば、３５００［ｍｉｎ−１］）から回転数ｃｘ５（例えば、４２００［ｍｉｎ−１］）に上昇してしまう。つまり、圧縮機効率の低下する回転数で運転してしまう。
従って、本発明においては、圧縮機４７の回転数上昇を抑制するために、冷蔵室冷却用ダンパ５４の設定値を一時的に変化させることにより、冷蔵室冷却用ダンパ５４を一時的に閉にして、冷凍室４２や製氷室４１の温度上昇を抑制するようにする。
【００２９】
その実施例としては、例えば、前述した経過時間の時刻ｔ２２に、つまり、冷蔵室冷却用ダンパ５４が閉状態から開状態になった時に、前述した制御装置５７（図４参照）に内蔵されたタイマーが計測を開始して、その経過時間ｔｘｘ（ｔｘｘ＝ｔ２４−ｔ２２）を制御装置５７の記憶部に記憶する。
そして、同時に、冷蔵室用の温度感知センサ６２の検知した値の推移、例えば線Ｒ５の上昇程度（時刻ｔ２２の温度ｒ２２と時刻ｔ２４の温度ｒ２４との差ｄｘｘ：ｄｘｘ＝ｒ２４−ｒ２２）を制御装置５７の比較部に記憶する。
そして、経過時間が予め設定した時間ｔｘ０になったら、予め設定した時間ｔｘ０における上昇温度ｄｘ０（即ち、経過時間ｔｘ０での上昇温度ｄｘ０（ｄｘ０＝ｒ２４−ｒ２２）と、事前に実験やシミュレーション等により得られた所定値とを制御装置５７が比較して、予め設定した時間ｔｘ０における上昇温度ｄｘ０が所定値未満であれば、図３（ａ）の制御を実施する。
【００３０】
しかし、予め設定した時間ｔｘ０における上昇温度ｄｘ０が所定値以上であれば、後述するように、冷蔵室冷却用ダンパ５４の設定値を一時的に変化させることにより、冷蔵室冷却用ダンパ５４を一時的に閉させて、冷凍室４２や製氷室４１の温度上昇を抑制する制御とする。
換言すれば、圧縮機４７の回転数上昇を抑制するために、温度感知センサ６１の検知した値が温度ｆｘ５になる以前、例えば、冷凍室庫内温度ｆｘｘに達した時刻ｔ２５で、若しくは、時間ｔｘ０に達した時刻ｔ２４から所定時間ｔｘ１経過した時刻ｔ２５で、上述した冷蔵室冷却用ダンパ５４を開状態から強制的に閉状態にして運転する。
つまり、冷蔵室冷却用ダンパ５４を強制的に閉状態にすることにより、上述した図１、２のように、冷却器４９（図１、２参照）にて生成された冷気の全量が冷凍室に送風される。従って、冷凍室用の温度感知センサ６１の検知値は実線で示した線Ｆ８のように次第に降下するので、圧縮機４７は比較的圧縮機効率の良い運転回転数である回転数ｃｘ４（例えば、３５００［ｍｉｎ−１］）のままで運転することができる。
【００３１】
なお、冷蔵室冷却用ダンパ５４を開状態から強制的に閉状態にする手段としては、例えば、制御装置５７に予め記録された処理プログラム中の設定値、例えば、通常の冷蔵室冷却用ダンパ５４を閉させる温度ｒｘ３（例えば、０［℃］）を温度ｒｘ８（例えば、１０［℃］）に一時的に変化させることにより、冷蔵室冷却用ダンパを一時的に閉させるように構成すれば、別途強制的に閉するセンサや制御回路等を追加する必要がない。
【００３２】
そして、上記条件において、冷蔵室温度が線Ｒ８のようにあまり降下しない場合には、予め実験やシミュレーション等により得られた所定の時間ｕｘ１（例えば、３０分）後に、冷蔵室冷却用ダンパ５４を一時的に開するように構成すれば、冷蔵室温度は線Ｒ９のように次第に降下する。
更に、冷蔵室冷却用ダンパ５４の開によって、冷凍室温度が線Ｆ９のようにあまり降下しない場合には、予め実験やシミュレーション等により得られた所定の時間ｔｘ２後に所定の時間ｕｘ２だけ、冷蔵室冷却用ダンパ５４を強制的に一時的に閉するように構成すれば、冷凍室温度を線Ｆ１０のように次第に降下させることができる。
つまり、冷蔵室冷却用ダンパ５４を一時的に閉させることにより、冷凍室４２や製氷室４１の温度上昇若しくは冷蔵室４２や野菜室４１の温度上昇を抑制することができる。
【００３３】
上述の実施例では、冷蔵室用の温度感知センサ６２が検知する冷蔵室４４の庫内温度、冷凍室用の温度感知センサ６１が検知する冷凍室の庫内温度、及び冷却器用の温度感知センサ６４よって、冷蔵庫の温度制御を行っている。しかし、冷蔵室４４の温度を検知する温度感知センサ６２の替わりに、野菜室４５の庫内温度を検知する野菜室用の温度感知センサ６３を用いて制御しても良い。また、冷蔵室用の温度感知センサ６２と野菜室用の温度感知センサ６３を両方用いて制御しても良い。また更に、上記温度感知センサを複数箇所に設置して、制御に用いても良い。
複数の温度感知センサによって制御する場合には、検知した温度の平均値や中央値等の代表値を取っても良いし、最低値または最高値に基づいても良く、冷蔵庫の特性や使用方法によって変更してもよいことは自明である。
【００３４】
ここで、上述した冷蔵室４４や野菜室４５の温度と冷凍室４２や製氷室４１の温度との関係について図５により説明する。
図５は、本発明に係る冷蔵庫（冷凍冷蔵庫）における冷気分流を説明するための模式図である。なお、説明の簡明のために、冷蔵室４４と野菜室４５を冷蔵室４４で代表し、冷凍室４２と製氷室４１を冷凍室４２で代表して説明する。なお、上述の図１〜図４と同一構成については、同一符号を付して詳細な説明を省略する。
【００３５】
図５において、通常状態の冷凍室４２の庫内温度Ｆｔｘを、例えば、−１８［℃］とし、通常状態の冷蔵室４４の庫内温度Ｒｔｘを、例えば、＋３［℃］とすると、冷却器４９自身の温度Ｅｔｘは、冷凍室４２の庫内温度Ｆｔｘや冷蔵室４４の庫内温度Ｒｔｘを継続的に保持するために、冷凍室４２の庫内温度Ｆｔｘより低温度、例えば、−２５［℃］程度にする必要がある。
換言すれば、冷凍室４２を冷却したために温度上昇して戻ってきた冷気（温度Ｆｔ２）と、冷蔵室４４を冷却したために温度上昇して戻ってきた冷気（温度Ｒｔ２）との合流冷気（温度Ｅｔ１）を、冷却器４９（温度Ｅｔｘ）にて再冷却して、冷凍室４２の庫内温度Ｆｔｘに冷却するに充分な低温度冷気（温度Ｆｔ１≪Ｆｔｘ）と、冷蔵室４４の庫内温度Ｒｔｘに冷却するに充分な低温度冷気（温度Ｒｔ１）とを生成できるような冷却器温度（温度Ｅｔｘ）を創り出すために、冷却器４９は予め設定された所定の冷凍能力を付与されて設定されている。
【００３６】
ここで、冷蔵室４４に、前述したような、異常な負荷投入や異常な熱負荷が加わって、冷蔵室の庫内温度Ｒｔｘが、例えば、通常より１０［℃］程度上昇したとすると、冷蔵室４４を冷却したために温度上昇して戻ってくる冷気の温度Ｒｔ２も、通常より１０［℃］程度上昇した冷気となるので、冷気（温度Ｒｔ２）と、冷凍室４２側の戻り冷気（温度Ｆｔ２）との合流冷気は、その温度Ｅｔ１が、例えば３〜５［℃］程度上昇する。
ここで、前述した圧縮機４７や送風機５１の運転回転数を一定とすれば、冷却器４９の冷凍能力もほぼ一定であるため、前述した戻り合流冷気の温度Ｅｔ１が、例えば３〜５［℃］程度上昇してしまう場合には、合流冷気の温度上昇の影響を受けて、冷却器４９の温度Ｅｔｘや冷凍室４２の庫内温度Ｆｔｘも、例えば１〜３［℃］程度上昇する現象が生じる。
更に、上記の現象が時間的に継続すると、例えば１〜３［℃］程度上昇した冷凍室４２の庫内温度Ｆｔｘによって上昇した戻り冷気Ｆｔ２と、異常な負荷投入等によって、例えば通常より１０［℃］程度上昇した戻り冷気Ｒｔ２が合流して、冷却器４９の温度Ｅｔｘや冷凍室４２の庫内温度Ｆｔｘを次第に上昇させていく。
【００３７】
従って、本発明においては、冷蔵室の異常な温度上昇を感知した場合に、冷蔵室冷却用ダンパ５４（図１、２参照）を一時的に（例えば、約３０分間）、且つ、強制的に、閉じることにより、冷凍室４２の庫内温度（図５の庫内温度Ｆｔｘ）参照の上昇を抑制することにより、前述した冷却器４９自身温度（図５の冷却器４９の温度Ｅｔｘ参照）の上昇を抑制するものである。
【００３８】
以上のように構成されているので、本発明は、圧縮機の回転数上昇を抑制するために、冷蔵室冷却用ダンパの設定値を一時的に変化させることにより、冷蔵室冷却用ダンパを一時的に閉じて、冷凍室の温度上昇を抑制するので、圧縮機の圧縮効率の比較的良い低回転数での運転時間をより長くできる。これによって、省エネルギー上有利な冷蔵庫を提供できると共に、冷凍貯蔵食品の鮮度保持が図れる冷蔵庫を提供できる。
【００３９】
また、冷蔵室冷却用ダンパを複数回一時的に閉じることにより、冷凍室の温度上昇を抑制して、圧縮機の回転数を所定の回転数に保持するので、冷凍室の庫内温度上昇を抑制できる。従って、冷凍貯蔵食品の鮮度保持が図れる冷蔵庫を提供できる。
【００４０】
また、冷蔵室冷却用ダンパを一時的に閉じる最初の設定値を、例えば１０℃以下とする。これによって、冷蔵室の庫内温度上昇の継続を抑制できるので、冷蔵貯蔵食品の鮮度保持が図れる冷蔵庫を提供できる。
【００４１】
また、冷蔵室への異常な負荷投入を、予め設定した時間内における冷蔵室温度の上昇温度にて検知するようにしたので、別途強制的に閉とするためのセンサや制御回路等を追加する必要がないため、製造コスト上有利な冷蔵庫を提供できる。
【００４２】
また、圧縮機の回転数が上昇する以前に、冷蔵室冷却用ダンパの設定値を一時的に変化させることにより、該冷蔵室冷却用ダンパを一時的に閉させて、冷凍室の温度上昇を抑制したので、冷蔵庫本体の設置された室温に影響されることなく、圧縮機の回転数を低く保持することが出来るので、省エネルギー上有利な冷蔵庫を提供できる。
【産業上の利用可能性】
【００４３】
本発明にかかる冷蔵庫は、圧縮機の回転数上昇を抑制するために、冷蔵室冷却用ダンパの設定値を一時的に変化させることにより、冷凍室の温度上昇を抑制したので、圧縮機の圧縮効率の比較的良い低回転数での運転時間をより長くできるので、圧縮機を使用する業務用ショウケース、或いは食品を保存する冷凍機器等の用途へも適用できる。
【図面の簡単な説明】
【００４４】
【図１】本発明の冷蔵庫の一実施例を説明するための図。
【図２】本発明の冷蔵庫の一実施例を説明するための図。
【図３】本発明の冷蔵庫の圧縮機の回転数と庫内温度及び冷蔵室冷却用ダンパの動作関係の一実施例を説明するための図。
【図４】本発明の冷蔵庫の制御装置の一実施例の構成を説明するためのブロック図。
【図５】本発明に係る冷蔵庫における冷気分流の説明図である。
【図６】従来の冷凍室の庫内温度に対応して可変制御する圧縮機の回転数の一例を示す図。
【符号の説明】
【００４５】
４０：冷蔵庫本体、  ４１：製氷室、  ４２：冷凍室、  ４１ａ、４２ａ、４４ａ、４５ａ：扉、  ４３ｄ、４４ｄ、４５ｅ：吐出口、  ４３ｅ、４４ｇ、４５ｇ：戻り口、  ４４：冷蔵室、  ４５：野菜室、  ４７：圧縮機、  ４８：除霜手段、  ４９：冷却器、  ５０：冷却室、  ５１：送風機、  ５２：冷凍用冷気ダクト、  ５３：冷蔵用冷気ダクト、  ５４：ダンパ、  ５５，５６：仕切部材、  ５７：制御装置、  ６１，６２，６３，６４：温度感知センサ、  ４４ｃ，４４ｆ，４５ｃ，４５ｄ：冷気通路、  ４４ｅ，４５ｆ：吸込口。
【図１】
2009014320.tif 000003
【図２】
2009014320.tif 000004
【図３】
2009014320.tif 000005
【図４】
2009014320.tif 000006
【図５】
2009014320.tif 000007
【図６】
2009014320.tif 000008